(57)【要約】  綿棒を蓋のついた筒状の容器から衛生的に取り出すことができ、綿棒を入れる容器内に格納、あるいは、蓋に取り付ける、あるいは、蓋の上に載置することができる綿棒取り出し具を提供する。  綿棒取り出し具（１）は、綿棒（８）を持ち上げることのできる持上部（１２）と、綿棒収納容器（９）の蓋（９１）に取り付けることのできる取付部（１３）、又は蓋（９１）に載置できる支持部（２２）とを有し、使用時、蓋（９１）を容器本体（９２）から取り外した状態で操作することにより、綿棒（８）をつかみ、持ち上げる。
2018164215.tif 000002
【特許請求の範囲】
【請求項１】
綿棒を持ち上げることのできる持上部と、綿棒収納容器の蓋に取り付けることのできる取付部、又は蓋に載置できる支持部とを有し、使用時、容器本体から取り外した状態で操作することにより、綿棒をつかみ、持ち上げることのできる、綿棒取り出し具。
【請求項２】
前記支持部が、綿棒収納容器の蓋に設ける開口部を覆うことのできる平板からなる支持部である、請求項１記載の綿棒取り出し具。
【請求項３】
請求項２に記載の綿棒取り出し具と、開口部を有する蓋との組合せからなる、綿棒収納容器用上蓋セット。
【請求項４】
請求項３に記載の綿棒収納容器用上蓋セットと、綿棒収納容器本体とからなる、綿棒収納容器。
【請求項５】
前記取付部が、綿棒収納容器の蓋の外側に取り付けることのできる取付部である、請求項１に記載の綿棒取り出し具。
【請求項６】
軸部の一方の端部に、前記持上部を有し、前記軸部のもう一方の端部に、前記取付部を有し、綿棒収納容器の蓋の内側に取り付け可能な、請求項１に記載の綿棒取り出し具。
【請求項７】
前記取付部が、綿棒収納容器の蓋を貫通するように取り付けることのできる取付部である、請求項１に記載の綿棒取り出し具。
【請求項８】
請求項５〜７のいずれか一項に記載の綿棒取り出し具を取り付けた、蓋。
【請求項９】
請求項８に記載の蓋と、綿棒収納容器本体とからなる、綿棒収納容器。
【発明の詳細な説明】
【技術分野】
【０００１】  本発明は、綿棒取り出し具、並びにそれを備えた綿棒収納容器用の蓋、及び綿棒収納容器に関する。
【背景技術】
【０００２】  綿棒は、医療機関だけでなく日常生活において頻繁に用いられる衛生機材である。その綿棒は、耳、瞼、眉、傷口などを、清掃したり、吸水、保水、薬物や化粧品の塗布にも用いられる。  指で綿棒の綿球部分を微生物汚染すると、接触感染が問題となる。その微生物としては、外耳道では外耳道炎を起こす黄色ブドウ球菌、真菌、緑膿菌などが、目では、ものもらい（麦粒腫）、結膜炎を起こすウイルスなどが、病院などでは傷口から入る薬剤耐性菌などが危険性である。これらの感染を防ぐためには、綿棒の綿球部分に指が触れないことが重要である。【０００３】  そのため、綿棒の個別包装などの工夫がなされているが、個別包装のものは、費用もかかり、使ったのちに袋が廃棄物として残る欠点がある。  容器に複数詰められた綿棒を一本だけ、綿球部分に指をつけずに取り出すことは、ピンセットなどを用いれば可能である。ピンセットは清潔に取り出す道具として利用できるが、清潔な状態でピンセットの置き場所を設けることは別な装置を必要とする。  特別な容器形状として、蓋に短い円柱パイプ状の空洞があり、蓋を閉める際に、そこに綿棒が突き刺さるように蓋を閉め、次に蓋を開けたときに綿棒が一本だけ持ち上がることで、手を触れずに綿棒を取り出すものが公知である（特許文献１）。しかし、この容器では、綿棒がしっかりと立った状態でないと上から押してもキャッチできず、その問題を解決するために綿棒収納容器内に仕切り板を設置する方法がとられている。しかし、仕切り板があっても、綿棒の残量が少なくなると、円柱パイプ状の取り出し具では取り出すことが困難となる。
【先行技術文献】
【特許文献】
【０００４】
【特許文献１】特開２０１２−１４４２９５号公報
【発明の概要】
【発明が解決しようとする課題】
【０００５】  本発明の課題は、綿棒を蓋のついた筒状の容器から衛生的に取り出すことのできる取り出し具で、綿棒を入れる容器内に格納、あるいは、蓋に取り付ける、あるいは、蓋の上に載置することができるものを提供することにある。
【課題を解決するための手段】
【０００６】  前記課題は、本発明による、［１］綿棒を持ち上げることのできる持上部と、綿棒収納容器の蓋に取り付けることのできる取付部、又は蓋に載置できる支持部とを有し、使用時、容器本体から取り外した状態で操作することにより、綿棒をつかみ、持ち上げることのできる、綿棒取り出し具、［２］前記取付部が、綿棒収納容器の蓋の外側に取り付けることのできる取付部である、［１］の綿棒取り出し具、［３］軸部の一方の端部に、前記持上部を有し、前記軸部のもう一方の端部に、前記取付部を有し、綿棒収納容器の蓋の内側に取り付け可能な、［１］の綿棒取り出し具、［４］前記取付部が、綿棒収納容器の蓋を貫通するように取り付けることのできる取付部である、［１］の綿棒取り出し具、［５］［１］〜［４］のいずれかの綿棒取り出し具を取り付けた、蓋、［６］［５］の蓋と、綿棒収納容器本体とからなる、綿棒収納容器、［７］前記支持部が、綿棒収納容器の蓋に設ける開口部を覆うことのできる平板からなる支持部である、［１］の綿棒取り出し具、［８］［７］の綿棒取り出し具と、開口部を有する蓋との組合せからなる、綿棒収納容器用上蓋セット、［９］［８］の綿棒収納容器用上蓋セットと、綿棒収納容器本体とからなる、綿棒収納容器により解決することができる。
【発明の効果】
【０００７】  本発明によれば、容器内に複数入っている綿棒から使用する綿棒だけを衛生的に取り出すことができる。特に、すべての綿棒の綿の部分に指を触れずに、容易に綿棒を取り出すことができる。また、綿棒収納容器に、仕切り板など、特別な構造を設ける必要がなく、更には、非使用時には、綿棒収納容器内に格納できるか、あるいは、蓋と一体化しているか、あるいは、蓋の上に載置できるため、置き場所を別に設ける必要がない。
【図面の簡単な説明】
【０００８】
【図１】本発明の綿棒取り出し具の一態様を、綿棒収納容器の上蓋の内側に設けた筒状突出部（軸受部）に取り付けた状態で示す斜視図である。
【図２】図１に示す、綿棒収納容器の上蓋の内側に取り付けた状態の本発明の綿棒取り出し具を用いて、綿棒収納容器に収納されている綿棒を持ち上げた状態を示す、模式的斜視図である。
【図３】本発明の綿棒取り出し具の別の一態様を、綿棒収納容器の上蓋の内側に設けた筒状突出部（軸受部）に取り付けた状態で示す正面図である。
【図４】本発明の綿棒取り出し具の更に別の一態様を、綿棒収納容器の上蓋の内側に設けた筒状突出部（軸受部）に取り付けた状態で示す正面図である。
【図５】本発明の綿棒取り出し具の更に別の一態様を、綿棒収納容器の上蓋の内側に設けた筒状突出部（軸受部）に取り付けた状態で示す正面図である。
【図６】本発明の綿棒取り出し具の更に別の一態様を、綿棒収納容器の上蓋の内側に設けた筒状突出部（軸受部）に取り付けた状態で示す正面図である。
【図７】持上部と軸部との取付角度を示す模式的説明図（側面図）である。
【図８】本発明の綿棒取り出し具の更に別の一態様を、綿棒収納容器の上蓋の外側周縁部に取り付けた状態で示す側面図である。
【図９】図８に示す綿棒取り出し具の持ち上げ部の内部構造を示す拡大断面図である。
【図１０】本発明の綿棒取り出し具の更に別の一態様を、綿棒収納容器の上蓋に取り付けた状態（非使用時）で示す正面図である。
【図１１】本発明の綿棒収納容器における容器本体の一態様を示す斜視図である。
【図１２】本発明の綿棒収納容器における容器本体の別の一態様を示す斜視図である。
【図１３】本発明の綿棒取り出し具の更に別の一態様を、綿棒収納容器と共に示す斜視図である。
【図１４】図１３に示す綿棒取り出し具を斜め下方からみた斜視図である。
【発明を実施するための形態】
【０００９】  本発明の綿棒取り出し具には、綿棒収納容器の蓋に取り付け可能な綿棒取り出し具（以下、第一の態様と称することがある）と、綿棒収納容器の蓋の上に載置可能な綿棒取り出し具（以下、第二の態様と称することがある）とが含まれる。  以下、第一の態様、第二の態様の順に、図面に基づいて本発明を説明するが、本発明はこれらの実施態様に限定されるものではない。  本発明の第一態様としての綿棒取り出し具は、綿棒を持ち上げることのできる持上部と、綿棒収納容器の蓋に取り付けることのできる取付部とを有する。例えば、図１に示す本発明の綿棒取り出し具１は、軸部１１の一方の端部１１ａに、綿棒を持ち上げることのできる持上部１２を有し、前記軸部１１のもう一方の端部１１ｂに、綿棒収納容器の上蓋９１の内側に取り付けることのできる取付部１３を有する。なお、図１では、取付部１３として機能する挿入軸は、軸受部９１ａに挿入されているため、図面には表れない。
【００１０】  持上部の形状・構造は、図２に示すように、綿棒収納容器９の容器本体９２に収納された綿棒８を持ち上げることができるものであれば、特に限定されるものではなく、例えば、図１及び図２に示すような、綿棒の綿球部分８１に引っ掛けてすくい上げることのできるＵ字形状、図３に示すような、綿棒の保持能を高めるために、前記Ｕ字形状に内向きの突起（返し）１２ａを設けた構造、図４、図５に示すような、綿棒の軸部８２に押し当てると先が広がって軸部を挟みこみ、持上げることのできる板バネ構造、図６に示すような釣り針型、図８、図９に示すような筒状構造、図１１、図１２に示すような毛抜き、あるいはピンセットなどを挙げることができる。なお、釣り針型の態様では、綿棒が容器に多数詰め込まれた状態では、蓋を持ち上げただけで、一本の綿棒を持ち上げることができる。
【００１１】  図９に示す筒状構造の持上部１２は、円錐台の底面にあたる部分が開口する概略円錐台形状の筒壁１７と、その内部に収納されるコイルばね１８とからなる。本発明における筒状構造の持上部においては、コイルばねは必ずしも必須の構成ではないが、コイルばねの内部に綿棒の綿球部分が浸入すると、コイルばねが広がることにより復元力が発生するため、コイルばね内部に保持された状態で、安定に綿棒を持ち上げることができる。また、この持上部は、概略円錐台形状の筒壁１７が下に開口しているため、図８に示すように、綿棒収納容器の蓋の外側に取り付けても、ほこり等で汚染されることがない。なお、図８に示す持上部１２は、概略垂直に取り付けられているが、それに限定されることなく、斜め下方向、例えば、外向き斜め下方向に向けて取り付けることもできる。外向き斜め下方向の場合、垂直方向に比べて、綿棒を持ち上げやすくなる。
【００１２】  前記持上部の材料は、その形状・構造、必要とされる強度などに応じて適宜選択することができ、例えば、プラスチック、金属、紙、木、ゴムなどを挙げることができる。
【００１３】  本発明における持上部においては、図８に示す態様のように、軸部は必ずしも必須の構成ではないが、軸部を有する場合、その形状は、特に限定されるものではなく、例えば、断面形状が円形、多角形等の棒状、板状などを挙げることができる。また、図１に示すような、直線状に限定されるものではなく、軸部の途中で一箇所または複数箇所で角度を設けることもできる。
【００１４】  軸部の長さは、綿棒収納容器の形状、特に綿棒収納容器の深さに応じて適宜決定することができ、下限としては、例えば、１ｃｍ以上である。上限は、容器内に格納した際に蓋を閉めることができれば、特に限定されるものではないので、通常、容器の深さであるが、後述するとおり、取付部のところで折り畳むことにより蓋の内側に密着させることができる場合には、蓋の内径に応じて決定することができる。
【００１５】  持上部と軸部との取付角度（図７に示す角度θ。なお、図３〜図６が正面図である場合に、図７は側面図である）は、持上部の形状・構造により適宜決定することができるが、例えば、Ｕ字形状、または返しを設けた構造では、例えば、０〜１２０度とすることができ、板バネ構造では、例えば、０〜９０度とすることができ、釣り針型では、例えば、９０〜１８０度未満とすることができる。
【００１６】  軸部の材料は、その形状・構造、必要とされる強度などに応じて適宜選択することができ、例えば、プラスチック、金属、紙、木、ゴムなどを挙げることができる。
【００１７】  取付部は、持上部を、軸部を介して、あるいは、直接、綿棒収納容器の上蓋に取り付けることができるものであれば、特に限定されるものではなく、例えば、蓋の内側に（例えば、図１〜図６）、蓋の外側に（例えば、図８）、あるいは、蓋を貫通するように（例えば、図１０）取り付けられるものを挙げることができる。
【００１８】  例えば、軸部を容器の蓋の内側に着脱自在に取り付ける構造としては、例えば、蓋の内側に設けた筒状突出部（軸受部）９１ａと、それに挿入可能な挿入軸との組合せ（図１、図３〜図６）、蓋に吸い付く吸盤状構造、蓋の内側又は外側に設ける磁石（例えば、板状磁石）と、軸部の端部に設ける磁石（例えば、板状磁石又はボタン型磁石）との組合せなどを挙げることができる。なお、図１、図３〜図６では、取付部１３として機能する挿入軸は、軸受部に挿入されているため、図面には表れない。
【００１９】  前記の軸受部と挿入軸との組合せでは、軸部の端部に独立した挿入軸を設けることもできるし、あるいは、軸部の端部をそのまま挿入軸として機能させることもできる。軸受部と挿入軸との組合せでは、挿入軸の表面に凸部又は凹部を設け、それに対応する軸受部の内側表面に凹部又は凸部を設けることにより、取り付けた状態で外れにくくすることができる。あるいは、ネジ止めとすることにより、より確実に取り付けることができる。
【００２０】  また、軸部を容器の蓋の内側に非可逆的に固定する場合には、例えば、接着、融着、一体成型などを挙げることができる。
【００２１】  取付部は、綿棒取り出し具を容器の蓋の内側に取り付けた状態で、例えば、蓋の内側に対して、軸部が垂直方向に、あるいは、斜め方向になるように、固定・維持できる構造とすることもできるし、あるいは、取付部のところで折り畳むことにより、軸部および持上部を蓋の内側に密着または接近させることができる構造とすることもできる。  前者の構造において、斜め方向に固定する場合には、その角度は特に限定されるものではないが、例えば、垂直方向に対して、０度を超え、６０度以内の範囲で設定できる。  後者の構造では、折り畳む角度は特に限定されるものではなく、例えば、０を超え、最大で９０度の範囲で設定することができる。
【００２２】  取付部の材料は、その形状・構造、必要とされる強度などに応じて適宜選択することができ、例えば、プラスチック、金属、紙、木、ゴムなどを挙げることができる。
【００２３】  蓋の外側に取り付ける態様では、軸部の存在が非使用時などに邪魔になる場合があるため、例えば、図８に示すような、持上部を直接、蓋の外側に取り付けることのできる取付部が好ましいが、軸部を介して取り付ける態様を排除するものではない。取り付ける位置としては、例えば、図８に示すように、周縁部が好ましいが、上部を含め、任意の位置に取り付けることができる。例えば、図８に示す持上部を、図８の蓋の上部に取り付ける場合、開口部が上方になるように取り付けることができる。  本発明における、蓋の外側に取り付ける態様は、綿棒収納容器の元々の大きさとほぼ変わらないため、非使用時の保管の際に余分なスペースを必要としない点で優位である。
【００２４】  蓋を貫通するように取り付ける態様としては、例えば、図１０（非使用時の状態を示す）に示すような、軸部１１と、その一方の端部（蓋の内側に位置する端部）に設けた持上部１２と、前記軸部１１のもう一方の端部（蓋の外側に位置する端部）に設けた押下部１４と、前記軸部１１の回りを囲むように配置するコイルばね１５と、前記軸部１１が中央を貫通し、且つ、前記持上部１２と上蓋９１との間に配置されるストッパー１６とからなる態様を挙げることができる。上蓋９１の中央には貫通孔が設けられ、前記軸部１１が貫通する。なお、軸部１１、押下部１４、コイルばね１５、ストッパー１６がばね構造の取付部として機能する。また、図１０に示す態様では、図９に示す筒状構造の持上部を採用しているが、任意の形状の持上部、例えば、図１〜図６に示す持上部を採用することができる。
【００２５】  図１０に示す態様では、非使用時には、コイルばね１５の作用により、また、ストッパー１６の存在により、綿棒取り出し具全体が上方に引き上げられた状態で静止する。使用時には、蓋を開けることなく、あるいは、蓋を容器本体から取り外して、押下部１４を押し下げると、持上部１２が下降し、綿棒収納容器の本体内に収納された綿棒の綿球部分が持上部１２の内部に取り込まれ、持上部１２内のコイルばね１８に保持される。ここで押下部１４への押し下げをやめるか、あるいは、徐々に力を緩めると、持上部１２が上昇し、前記綿棒を持ち上げることができる。
【００２６】  本発明における、蓋を貫通するように取り付ける態様、あるいは、先述の蓋の外側に取り付ける態様は、製品出荷時または使用開始直後のように、綿棒収納容器の本体内に綿棒が隙間なく収納されている場合であっても、綿棒取り出し具と綿棒との接触を避けることができ、衛生面で優位である。
【００２７】  一方、本発明における、綿棒取り出し具を蓋の内側に取り付ける態様では、綿棒取り出し具の取付部および持上部を容器内にスムーズに格納するために、容器側に綿棒が入らない区分の筒状構造を設けることができる。例えば、図１１に示すように、上方開口で、内部が中空の断面円形の筒状構造９３を容器本体９２の中央に、あるいは、図１２に示すように、同構造９３を容器本体９２の壁面の近傍に設けることができる。前記筒状構造の断面形状は、綿棒の収納や取出しを妨げず、また、綿棒取り出し具をスムーズに格納することができれば、特に限定されるものではなく、例えば、円形、楕円形、多角形などを挙げることができる。
【００２８】  また、容器側の別の工夫として、綿棒取り出し具を蓋の外側に取り付ける態様では、下に開口するように取り付けることで、ほこり等の落下・付着を避けることができるが、更に、容器本体の辺縁部に、持上部をカバーする構造を付け加えることで、ほこり等の汚れを高度に減少させることができる。
【００２９】  本発明の綿棒取り出し具は、綿棒収納容器の蓋に取り付け可能であるので、綿棒収納容器の蓋に取り付けた状態で使用することもできるし、あるいは、保管時には綿棒収納容器の蓋に取り付けた状態で保管し、綿棒を取り出す際に蓋から取り外して綿棒を持ち上げることもできる。
【００３０】  本発明の綿棒取り出し具は、それ単独で流通させ、筒状容器に収納された綿棒を別途購入し、その筒状容器の蓋の内側または外側に取り付けて使用することもできるし、あるいは、綿棒収納容器の蓋の内側又は外側に、あるいは貫通するように、予め取り付けた状態で、筒状容器に収納された綿棒と共に販売することもできる。  前者のように、綿棒取り出し具と、筒状容器に収納された綿棒とを別々に購入する場合には、綿棒取り出し具を取り付け可能な筒状容器（例えば、蓋の内側に筒状突出部を設けた容器）に収納された綿棒を購入することが好ましいが、綿棒取り出し具の取付部に磁石を設け、当該綿棒取り出し具と更に別の磁石との組合せとして流通させることにより、任意の筒状容器に収納された綿棒を購入・使用することができる。なお、筒状容器を２０ｇから２００ｇ程度に重くすることにより、蓋を取る時、下の容器が動かず安定するため、片手で本綿棒取り出し具を設けた蓋を片手で衛生的に持ち上げられ、一本の綿棒を衛生的に持ち上げられる。その際、蓋の大きさが、筒状容器の幅より若干大きいと楽に蓋を明けられる。
【００３１】  以上、本発明の綿棒取り出し具の第一の態様について説明したが、続いて、第二の態様について説明する。  本発明の第二態様としての綿棒取り出し具は、綿棒を通過させることのできる開口部を有する蓋と組み合わせて使用する、蓋の上に載置可能なものであり、（１）綿棒を持ち上げることのできる持上部と、（２）蓋に設ける前記開口部を覆うことのできる平板からなる支持部と、（３）前記持上げ部と前記支持部とをつなぐ連結部とを有する。例えば、図１３、図１４に示す本発明の綿棒取り出し具２は、持上部２１として毛抜きを有し、支持部２２として、綿棒収納容器９の上蓋９１に設けた開口部９４と同じ形状かつ同じまたは若干小さい大きさの第１平板２２ａと、前記第一平板２２ａよりも面積の大きい第二平板２２ｂとを重ね合わせたものを有し、更に、前記持上部２１と前記支持部２２の第二平板２２ｂとをつなぐ連結部２３を有する。
【００３２】  持上部の形状・構造は、綿棒収納容器９の容器本体９２に収納された綿棒を持ち上げることができるものであれば、特に限定されるものではなく、例えば、図１３、図１４に示すような毛抜き以外にも、第一態様で先に列挙した各種形状・構造を採用することができる。図１３、図１４に示す毛抜きでは、一方の先端２１ａは通常の毛抜きと同等の角度で内側に向いているのに対して、もう一方の先端２１ｂは通常の毛抜きよりも内側に向かう角度を小さくしてある（すなわち、より直線的な角度）。両先端とも通常の毛抜きと同様に同じ角度にすることもできるが、図１３、図１４に示すように、一方の先端を直線に近い角度にすることにより、使用開始直後のように、綿棒収納容器の本体内に綿棒が隙間なく収納されている場合であっても、綿棒を取り出しやすい。
【００３３】  支持部は、開口部を覆うことができる限り、特に限定されるものではなく、例えば、一枚の平板からなる支持部、二枚（またはそれ以上）の平板の組合せからなる支持部を挙げることができる。図１３、図１４に示す支持部２２では、上蓋９１の開口部９４の形状が、円の一部を切り欠いた切欠き円であるため、支持部２２を構成する第一平板２２ａの形状も切欠き円であり、その面積も開口部９４と概ね同一または若干小さい大きさである。また、第二平板２２ｂの形状も切欠き円であるが、その面積は、開口部９４を覆うことができるように、開口部９４よりも大きくしてある。従って、綿棒取り出し具２を上蓋９１の上に、第一平板２２ａが開口部９４にはまり込むように配置すると、安定した状態で綿棒取り出し具を載置することができる。
【００３４】  第一平板の形状は蓋の開口部の形状に従って決まるが、第二平板の形状は、安定した状態で綿棒取り出し具を載置可能であれば、特に限定されるものではなく、第一形状の類似形であっても、或いは、異なる形状であってもよい。  また、第一平板および第二平板の形状は、図１３、図１４では、毛抜き先端２１ａ，２１ｂ方向の円の一部を切り欠いた切欠き円であるため、開口部９４から綿棒を持ち上げる際に、支持部２２が上蓋９１と接触することを避けることができる。このような構造としては、前記切欠き円以外にも、例えば、長軸方向が持上部の長さ方向と直交する楕円形などを挙げることができる。
【００３５】  本態様においても、第一態様と同様に、図１３に示すように、容器本体の辺縁部に、持上部をカバーする構造９５を付け加えることで、持上部先端２１ａ，２１ｂに近い部分へのほこり等の汚れを高度に減少させることができる。
【００３６】  また、容器本体を複数の仕切り板により複数の部屋に区分けし、蓋が容器本体に対して容易に回転できると、各部屋に異なる種類の綿棒（例えば、色、サイズ等）を収納した場合に、蓋を回転させて開口部を目的の綿棒が収納された部屋の上に簡単に移動できるため、好ましい。
【００３７】  本発明の第二態様としての綿棒取り出し具は、綿棒を通過させることのできる開口部を有する蓋と組み合わせて使用するものであるため、綿棒取り出し具を、筒状容器に収納された綿棒と共に販売することが一般的であるが、綿棒取り出し具と開口部を有する蓋との組合せで流通させ、筒状容器に収納された綿棒を別途購入し、蓋を取り換えることにより、使用することもできる。
【００３８】  本発明の第二態様としての綿棒取り出し具は、綿棒収納容器の蓋を取り外す必要がないため、綿棒収納容器を置いたまま、片手だけで綿棒を取り出すことができる。また、前記カバー９５を付け加えることにより、微生物汚染を減少させることができるだけでなく、綿棒の数が少なくなり、開口部から綿棒をつかむことが難しくなるまでは蓋を取り外す必要がないため、更に汚染を減少させることができる。
【産業上の利用可能性】
【００３９】  本発明によれば、綿棒を蓋のついた筒状の容器から衛生的に取り出すことができる。  以上、本発明を特定の態様に沿って説明したが、当業者に自明の変法や改良は本発明の範囲に含まれる。
【符号の説明】
【００４０】  １，２・・・綿棒取り出し具；８・・・綿棒；９・・・綿棒収納容器；１１・・・軸部；１１ａ，１１ｂ・・・端部；１２・・・持上部；１２ａ・・・返し；１３・・・取付部；１４・・・押下部；１５・・・コイルばね；１６・・・ストッパー；１７・・・筒壁；１８・・・コイルばね；２１・・・持上部；２１ａ，２１ｂ・・・持上部先端；２２・・・支持部；２２ａ・・・第一平板；２２ｂ・・・第二平板；２３・・・連結部；８１・・・綿球部分；８２・・・軸部；９１・・・上蓋；９１ａ・・・筒状突出部（軸受部）；９２・・・容器本体；９３・・・筒状構造；９４・・・開口部；９５・・・カバー。
【図１】
2018164215.tif 000003
【図２】
2018164215.tif 000004
【図３】
2018164215.tif 000005
【図４】
2018164215.tif 000006
【図５】
2018164215.tif 000007
【図６】
2018164215.tif 000008
【図７】
2018164215.tif 000009
【図８】
2018164215.tif 000010
【図９】
2018164215.tif 000011
【図１０】
2018164215.tif 000012
【図１１】
2018164215.tif 000013
【図１２】
2018164215.tif 000014
【図１３】
2018164215.tif 000015
【図１４】
2018164215.tif 000016
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
綿棒を持ち上げることのできる持上部と、綿棒収納容器の蓋に取り付けることのできる取付部、又は蓋に載置できる支持部とを有し、使用時、容器本体から取り外した状態で操作することにより、綿棒をつかみ、持ち上げることのできる、綿棒取り出し具。
【請求項２】
前記支持部が、綿棒収納容器の蓋に設ける開口部を覆うことのできる平板からなる支持部であり、前記持上部と前記支持部とをつなぐ連結部を有する、請求項１記載の綿棒取り出し具。
【請求項３】
請求項２に記載の綿棒取り出し具と、開口部を有する蓋との組合せからなる、綿棒収納容器用上蓋セット。
【請求項４】
請求項３に記載の綿棒収納容器用上蓋セットと、綿棒収納容器本体とからなる、綿棒収納容器。
【請求項５】
前記取付部が、綿棒収納容器の蓋の外側に取り付けることのできる取付部である、請求項１に記載の綿棒取り出し具。
【請求項６】
軸部の一方の端部に、前記持上部を有し、前記軸部のもう一方の端部に、前記取付部を有し、
前記持上部が、綿棒の綿球部分に引っ掛けてすくい上げることのできるＵ字形状、前記Ｕ字形状の先端に内向きに突出する返しを設けたＵ字形状、綿棒の軸部に押し当てると先が広がって軸部を挟みこみ、持上げることのできる板バネ構造、及び釣り針型からなる群から選んだ持上げ部であり、
綿棒収納容器の蓋の内側に取り付け可能な、請求項１に記載の綿棒取り出し具。
【請求項７】
前記取付部が、綿棒収納容器の蓋を貫通するように取り付けることのできる取付部である、請求項１に記載の綿棒取り出し具。
【請求項８】
請求項５〜７のいずれか一項に記載の綿棒取り出し具を取り付けた、蓋。
【請求項９】
請求項８に記載の蓋と、綿棒収納容器本体とからなる、綿棒収納容器。
【国際調査報告】
2018164215.tif 000017
2018164215.tif 000018